(57)【要約】【課題】飾り物や食用の餅に関して、使用しない時（例えば、商品の販売時など）の収納場所が提案されておらず、不便であり、容器本体に豪華さや高級感が足りない。【解決手段】鏡餅の外形を呈し合成樹脂製の中空な中空部を有する容器本体１の下側の餅に対応する部分の一部に、正月やお祝い事に関係する文字として、容器本体１の表面から外側へ凸状に突出し、外側を容器本体１と異なる色に彩色し、かつ容器本体１と一体的に合成樹脂により形成した凸文字３７を備える。容器本体１の底部には中空部２に飾り物や食用の餅を含む収納物を収納するために必要な大きさの開口部１１を設け、この開口部１１に着脱自在の合成樹脂製の裏蓋１０を設け、飾り付けを行わない場合に、裏蓋１０を開けて開口部１１から容器本体１の中空部２に各種飾り物、食用の餅を含む各種収納物を収納し、裏蓋１０を被せて収納物が外に飛び出すのを防止する機能を備えている。【選択図】図１
2007314183.tif 000002
【特許請求の範囲】
【請求項１】
鏡餅の外形を呈し、合成樹脂製の中空な中空部を有する容器本体を備え、
前記容器本体の下側の餅に対応する部分の一部には、正月やお祝い事に関係する文字として、前記容器本体の表面から外側へ凸状に突出し、外側を前記容器本体と異なる色に彩色し、かつ前記容器本体と一体的に合成樹脂により形成した凸文字を備えると共に、
前記容器本体の底部には、前記中空部に飾り物や食用の餅を含む収納物を収納するために必要な大きさの開口部を設け、この開口部に着脱自在の合成樹脂製の裏蓋を設け、
飾り付けを行わない場合に、前記裏蓋を開けて、前記開口部から容器本体の中空部に、御幣等の各種飾り物、食用の餅を含む各種収納物を収納し、前記裏蓋を被せることにより、前記収納物が外に飛び出すのを防止する機能を備えていることを特徴とする模擬飾り餅。
【請求項２】
前記容器本体の上側に飾る飾り物として、十二支の動物の外形を呈し、合成樹脂製の模擬動物を備え、
前記凸文字が、前記動物と同じ十二支の動物を表した文字であり、
前記容器本体の外側表面に、前記十二支の動物が歩いた時の足跡の形状を呈する模様を前記容器本体と一体的に合成樹脂により形成し、飾りつけを行わない場合は、前記模擬動物を前記容器本体の中空部に前記収納物として収納すると共に、
前記容器本体の上側には、前記模擬動物を取り付けて飾るための取付用手段が設けてあることを特徴とする請求項１記載の模擬飾り餅。
【請求項３】
前記凸文字が、正月やお祝い事に関係する寿の文字であり、前記寿の文字の外側表面を赤又は金色に彩色してあることを特徴とする請求項１記載の模擬飾り餅。
【請求項４】
前記凸文字が、正月やお祝い事に関係する福の文字であり、前記福の文字の外側表面を赤又は金色に彩色してあることを特徴とする請求項１記載の模擬飾り餅。
【請求項５】
前記正月やお祝い事に関係する文字として、寿の文字と、福の文字の２つの異なる凸文字が、それぞれ前記容器本体の異なる位置に形成されており、
飾りつけを行う場合に、容器本体をほぼ水平面上で回転させることにより、前記異なる凸文字の何れか一方の凸文字のみが正面方向から見られるように構成したことを特徴とする請求項１記載の模擬飾り餅。
【発明の詳細な説明】
【技術分野】
【０００１】
本発明は、正月や祝い事などに際して飾られる合成樹脂製の模擬飾り餅に関し、特に、鏡餅の外形を呈し、合成樹脂製の中空な容器本体と、前記容器本体の外側の一部に突出させて形成し、彩色した凸文字を有する模擬飾り餅に関するものである。
【背景技術】
【０００２】
(1) ：従来例１
以下、特許文献１を従来例１として説明する。従来例１には次のような内容が記載されている。
【０００３】
従来から正月や祝い事などに際し、飾り重ね餅が用いられており、その飾りには大小の円形状のお供え餅を２段に重ね、その上に蜜柑や橙等の果実を飾りに置いている。その飾りのための果実代用品として、飾り果実が提案されている。
【０００４】
これは合成樹脂製の中空な果実本体の頂部に挿入孔を設けておき、蔕状の挿入規制部を有する柄をその上側の摘持部によって摘んで挿入孔に挿入したもので、挿入規制部によって挿入孔への必要な挿入が規制され、あたかも実際の果実の趣を呈するようになるという内容である。
【０００５】
(2) ：従来例２
以下、特許文献２を従来例２として説明する。従来例２には次のような内容が記載されている。
【０００６】
飾り様模擬果実及びその製造方法に関しての記載がある。これは底部に開口がある凹所を備えた中実状の飾り本体と、凹所の開口を強制的に閉塞する蓋部材と、飾り果実本体の頂部に突設形成した連繋突体に被せられる柄体とを備えて成り、また底部に開口がある凹所を備えた中実の飾り果実本体を射出成形によって形成する一方、凹所内に嵌め入れられるように射出成形によって形成した有底筒状の蓋部材を熱収縮前の飾り果実本体の凹所内に強制的に嵌め入れ、また、飾り果実本体の頂部に突設形成した連繋突体に柄体を被せることで製造するという内容である。
【０００７】
(3) ：従来例３
以下、特許文献３を従来例３として説明する。従来例３には次のような内容が記載されている。
【０００８】
プラスチック製の重ね餅形状の容器に飾り用の重ね果実を接着した飾り重ね餅に関する記載がある。これは容器の上部に手で引き剥がす際に略全ての接着剤が重ね果実と共に剥離され、重ね餅の表面が滑面となるように容器と接着剤の素材が設定されているという内容である。
【０００９】
(4) ：従来例４
以下、特許文献４を従来例４として説明する。従来例４には次のような内容が記載されている。
【００１０】
プラスチック製の飾り重ね餅は、プラスチック製の飾り重ね餅形状の容器内に餅を詰入すると共に、蜜柑を表現したプラスチック製の重ね果実を重ね飾り餅の上部に重ねておき、一部が重ね餅に当接するプラスチック製の透視できるカバー一体を重ね果実に着脱の際に被せ、更に箱体内に収納したものが記載されている。
【００１１】
(5) ：従来例５
以下、特許文献５を従来例５として説明する。従来例５には次のような内容が記載されている。
【００１２】
飾り重ね餅に関して記載されている。これは、餅を収納したプラスチック製の重ね餅形状に形成した容器の下部開口部に貼着したフィルムで閉塞し、三方を模した台部材に係止させるとし、容器上に置かれる重ね果実を、容器の上部及び重ね果実全体を被嵌状態でカバー体によって覆うという内容である。
【特許文献１】特許第３０１０２８６号公報
【特許文献２】特開２００４−３４５３５号公報
【特許文献３】特許第２９３４８７３号公報
【特許文献４】特許第２９６１１４１号公報
【特許文献５】特許第３３６９５２２号公報
【発明の開示】
【発明が解決しようとする課題】
【００１３】
(1) ：従来例１乃至５には前記のような内容が記載されている。しかし、模擬飾り餅に飾る果実体、御幣、その他の物に関して、使用しない時（例えば、商品の販売時など）の収納場所が提案されておらず、不便である。
【００１４】
(2) ：模擬飾り餅と、正月等に食する切り餅等を販売する際に、別々に販売しなければならず不便である。しかし、前記従来例１乃至５には前記のような商品の販売に関する提案はない。
【００１５】
(3) ：従来例の飾り重ね餅には、正月や祝い事などに関する文字が設けてなく、飾った場合の外観が質素で、高級感に欠けていた。
【００１６】
本発明は従来の課題を解決するためになされたものであり、鏡餅の外形を呈し、合成樹脂製の中空な中空部を有する容器本体を備え、前記容器本体の一部に正月やお祝い事に関係する凸文字を設けて彩色することで、見た目の豪華さと高級感を出して商品としての品質を向上させ、容器本体の内部に飾り物や食用の餅などの収納物を収納可能にし、且つ、容器本体から収納物が外へ飛び出さないように裏蓋を設け、使用しない時の大きさを成るべく小さくし、外形は鏡餅に見えるようにして、全て合成樹脂製にすることで食品衛生上の問題も解決することを目的とする。
【課題を解決するための手段】
【００１７】
本発明は前記の目的を達成するため、次のように構成した。
【００１８】
(1) ：鏡餅の外形を呈し、合成樹脂製の中空な中空部を有する容器本体を備え、前記容器本体の下側の餅に対応する部分の一部には、正月やお祝い事に関係する文字として、前記容器本体から外側へ凸状に突出し、外側を前記容器本体と異なる色に彩色し、かつ前記容器本体と一体的に合成樹脂により形成した凸文字を備えると共に、前記容器本体の底部には、前記中空部に飾り物や食用の餅を含む収納物を収納するために必要な大きさの開口部を設け、この開口部に着脱自在の合成樹脂製の裏蓋を設け、飾り付けを行わない場合に、前記裏蓋を開けて、前記開口部から容器本体の中空部に、御幣等の各種飾り物、食用の餅を含む各種収納物を収納し、前記裏蓋を被せることにより、前記収納物が外に飛び出すのを防止する機能を備えていることを特徴とする。
【００１９】
(2) ：前記(1) の模擬飾り餅において、前記容器本体の上側に飾る飾り物として、十二支の動物の外形を呈し、合成樹脂製の模擬動物を備え、前記凸文字が、前記十二支の動物と同じ動物を表した文字であり、前記容器本体の外側表面に、前記十二支の動物が歩いた時の足跡の形状を呈する模様を前記容器本体と一体的に合成樹脂により形成し、飾りつけを行わない場合は、前記模擬動物を前記容器本体の中空部に前記収納物として収納すると共に、前記容器本体の上側には、前記模擬動物を取り付けて飾るための取付用手段が設けてあることを特徴とする。
【００２０】
(3) ：前記(1) の模擬飾り餅において、前記凸文字が、正月やお祝い事に関係する寿の文字であり、前記寿の文字の外側表面を赤又は金色に彩色してあることを特徴とする。
【００２１】
(4) ：前記(1) の模擬飾り餅において、前記凸文字が、正月やお祝い事に関係する福の文字であり、前記福の文字の外側表面を赤又は金色に彩色してあることを特徴とする。
【００２２】
(5) ：前記(1) の模擬飾り餅において、前記正月やお祝い事に関係する文字として、寿の文字と、福の文字の凸文字が、それぞれ前記容器本体の異なる位置に形成されており、飾りつけを行う場合に、容器本体をほぼ水平面上を回転させることにより、前記異なる凸文字の何れか一方の凸文字のみが正面方向から見られるように構成したことを特徴とする。
【００２３】
（作用）
以下、前記構成に基づく本発明の作用を説明する。
【００２４】
(a) ：前記(1) の作用
模擬飾り餅を商品として販売する時は、裏蓋を開けて、容器本体の中空部に御幣等の飾り物、食用の切り餅等を収納する。そして、裏蓋を閉めて内部の収納物が外に飛び出さないようにして販売する。
【００２５】
また、模擬飾り餅を飾りつける場合は、裏蓋を開けて容器本体の中空部から収納物を取り出し、飾り物を容器本体の上側に飾る。この時、容器本体の外側面には彩色した凸文字が正面から見えるように飾りつけを行うことで、豪華で高級感のある飾りつけを行うことができる。
【００２６】
このようにして商品を販売すれば、御幣等の飾り物や食用の切り餅等を１つの容器本体内に収納した状態で販売できるから、販売に手間がかからず、衛生的であり、商品も小型化でき取り扱いも容易になり、かつコスト削減が可能になる。また、前記商品を購入した購入者は、保管場所も少なくて済み、例えば、内部の切り餅等を食用に供する分だけ取り出せば良いから取り扱いも容易になる。
【００２７】
すなわち、容器本体の内部に、御幣等の飾り物、或いは食用の餅などの収納物を収納可能にし、且つ、容器本体から収納物が外へ飛び出さないように裏蓋を設け、使用しない時の大きさを成るべく小さくし、外形は鏡餅に見えるようにして、全て合成樹脂製にすることで食品衛生上も好ましい。
【００２８】
また、客が模擬飾り餅を持ち帰る場合には、持ち運びが便利であり、中の食用の餅が埃をかぶらず、汚れも防止できる。更に、模擬飾り餅は飾りものだけでなく、食用の餅や飾り物を収納するのにも便利である。
【００２９】
(b) ：前記(2) の作用
模擬飾り餅を商品として販売する時は、裏蓋を開けて、容器本体の中空部に御幣や模擬動物等の飾り物、食用の切り餅等を収納する。そして、裏蓋を閉めて内部の収納物が外に飛び出さないようにして販売する。
【００３０】
また、模擬飾り餅を飾りつける場合は、裏蓋を開けて容器本体の中空部から収納物を取り出し、模擬動物や御幣等を容器本体の上側に飾る。この場合、模擬動物を容器本体に設けた取付手段により固定して取り付ける（例えば、取付手段が貫通口であり、その貫通口に模擬動物の足先を挿入して固定すると共に、御幣は模擬動物と容器本体の間に挟み込んで固定する）。
【００３１】
この時、容器本体の外側面には彩色した凸文字が正面から見えるように飾りつけを行うことで、十二支の動物が歩いた時の足跡の形状を呈する模様も正面から見える状態で飾りつけを行うことができ、高級感を出した状態で飾りつけを行うことができる。
【００３２】
このようにすれば、豪華で高級感のある商品としての品質向上を可能にし、容器本体の内部に飾り物や食用の餅などの収納物を収納可能にし、且つ、容器本体から収納物が外へ飛び出さないように裏蓋を設け、使用しない時の大きさを成るべく小さくし、外形は鏡餅に見えるようにして、全て合成樹脂製にすることで食品衛生上の問題も解決する。
【００３３】
(c) ：前記(3) の作用
容器本体に設けた凸文字が、正月やお祝い事に関係する寿の文字であり、前記寿の文字の外側表面を赤又は金色に彩色してある。
【００３４】
このようにすれば、販売する際の商品価値を高めることができる。また、容器本体の外側面には彩色した寿の凸文字が正面から見えるように飾りつけを行うことで、豪華で高級感のある飾りつけを行うことができる。
【００３５】
(d) ：前記(4) の作用
容器本体に設けた凸文字が、正月やお祝い事に関係する福の文字であり、前記福の文字の外側表面を赤又は金色に彩色してある。
【００３６】
このようにすれば、販売する際の商品価値を高めることができる。また、容器本体の外側面には彩色した寿の凸文字が正面から見えるように飾りつけを行うことで、豪華で高級感のある飾りつけを行うことができる。
【００３７】
(e) ：前記(5) の作用
正月やお祝い事に関係する文字として、寿の文字と、福の文字の凸文字が、それぞれ容器本体の異なる位置に形成されている。従って、飾りつけを行う場合に、容器本体をほぼ水平面上で回転させてることにより、異なる凸文字の何れか一方の凸文字のみが正面方向から見られるようにすることができる。
【００３８】
このようにすれば、販売する際の商品価値を高めることができる。また、容器本体の外側面には彩色した寿又は福の凸文字のいずれか一方のみが正面から見えるように飾りつけを行うことで、豪華で高級感のある飾りつけを行うことができる。
【発明の効果】
【００３９】
本発明は前記の構成により次のような効果がある。
【００４０】
(a) ：請求項１では、模擬飾り餅を商品として販売する時は、裏蓋を開けて、容器本体の中空部に御幣等の飾り物、食用の切り餅等を収納する。そして、裏蓋を閉めて内部の収納物が外に飛び出さないようにして販売する。
【００４１】
また、模擬飾り餅を飾りつける場合は、裏蓋を開けて容器本体の中空部から収納物を取り出し、飾り物を容器本体の上側に飾る。この時、容器本体の外側面には凸文字が正面から見えるように飾りつけを行うことで、豪華で高級感のある飾りつけを行うことができる。
【００４２】
このようにして商品を販売すれば、御幣等の飾り物や食用の切り餅等を１つの容器本体内に収納した状態で販売できるから、販売に手間がかからず、商品も小型化でき取り扱いも容易になり、かつコスト削減が可能になる。また、前記商品を購入した購入者は、保管場所も少なくて済み、例えば、内部の切り餅等を食用に供する分だけ取り出せば良いから取り扱いも容易になる。
【００４３】
すなわち、容器本体の内部に、御幣等の飾り物、或いは食用の餅などの収納物を収納可能にし、且つ、容器本体から収納物が外へ飛び出さないように裏蓋を設け、使用しない時の大きさを成るべく小さくし、外形は鏡餅に見えるようにして、全て合成樹脂製にすることで食品衛生上も好ましい。
【００４４】
また、客が模擬飾り餅を持ち帰る場合には、持ち運びが便利であり、中の食用の餅が埃をかぶらず、汚れも防止できる。更に、模擬飾り餅は飾りものだけでなく、食用の餅や飾り物を収納するのにも便利である。
【００４５】
(2) ：請求項２では、模擬飾り餅を商品として販売する時は、裏蓋を開けて、容器本体の中空部に御幣や模擬動物等の飾り物、食用の切り餅等を収納する。そして、裏蓋を閉めて内部の収納物が外に飛び出さないようにして販売する。
【００４６】
また、模擬飾り餅を飾りつける場合は、裏蓋を開けて容器本体の中空部から収納物を取り出し、模擬動物や御幣等を容器本体の上側に飾る。この場合、模擬動物を容器本体に設けた取付手段により固定して取り付ける。
【００４７】
この時、容器本体の外側面には彩色した凸文字が正面から見えるように飾りつけを行うことで、十二支の動物が歩いた時の足跡の形状を呈する模様も正面から見える状態で飾りつけを行うことができ、豪華で高級感のある飾りつけを行うことができる。
【００４８】
このようにすれば、見た目の高級感を出したりして商品としての品質向上を可能にし、容器本体の内部に飾り物や食用の餅などの収納物を収納可能にし、且つ、容器本体から収納物が外へ飛び出さないように裏蓋を設け、使用しない時の大きさを成るべく小さくし、外形は鏡餅に見えるようにして、全て合成樹脂製にすることで食品衛生上の問題も解決する。
【００４９】
(3) ：請求項３では、容器本体に設けた凸文字が、正月やお祝い事に関係する寿の文字であり、前記寿の文字の外側表面を赤又は金色に彩色してある。
【００５０】
このようにすれば、販売する際の商品価値を高めることができる。また、容器本体の外側面には彩色した寿の凸文字が正面から見えるように飾りつけを行うことで、豪華で高級感のある飾りつけを行うことができる。
【００５１】
(4) ：請求項４では、容器本体に設けた凸文字が、正月やお祝い事に関係する福の文字であり、前記福の文字の外側表面を赤又は金色に彩色してある。
【００５２】
このようにすれば、販売する際の商品価値を高めることができる。また、容器本体の外側面には彩色した寿の凸文字が正面から見えるように飾りつけを行うことで、豪華で高級感のある飾りつけを行うことができる。
【００５３】
(5) ：請求項５では、正月やお祝い事に関係する文字として、寿の文字と、福の文字の凸文字が、それぞれ容器本体の異なる位置に形成されている。従って、飾りつけを行う場合に、容器本体をほぼ水平面上を回転させることにより、異なる凸文字の何れか一方の凸文字のみが正面方向から見られるようにすることができる。
【００５４】
このようにすれば、販売する際の商品価値を高めることができる。また、容器本体の外側面には彩色した寿又は福の凸文字の何れか一方が正面から見えるように飾りつけを行うことで、豪華で高級感のある飾りつけを行うことができる。
【発明を実施するための最良の形態】
【００５５】
§１：概要の説明
図１は例１の説明図であり、Ａ図は飾りつけをした状態を示す図、Ｂ図は飾りつけを行わない状態での断面図である。以下、図１に基づいて模擬飾り餅の概要を説明する。以下に説明する例は、正月、祝い事、その他の祭事に際して飾り付けられる鏡餅として使用される以下のような構成のものである。
【００５６】
(1) ：鏡餅の外形を呈し、合成樹脂製の中空な中空部２を有する容器本体１を備え、容器本体１の下側の餅に対応する部分の一部には、正月やお祝い事に関係する文字として、容器本体１から外側へ凸状に突出し、外側を前記容器本体１と異なる色に彩色し、かつ容器本体１と一体的に合成樹脂により形成した凸文字３７を備えている。
【００５７】
また、容器本体１の底部には、容器本体１の中空部２に飾り物や食用の餅を含む収納物を収納するために必要な大きさの開口部１１を設け、この開口部１１に着脱自在の合成樹脂製の裏蓋１０を設ける。そして、飾り付けを行わない場合に、裏蓋１０を開けて、開口部１１から容器本体１の中空部２に、御幣等の各種飾り物、食用の餅を含む各種収納物を収納し、裏蓋１０を被せることにより、収納物が外に飛び出すのを防止する機能を備えている。
【００５８】
§２：例１の説明
図１は例１の説明図であり、Ａ図は飾りつけをした状態を示す図、Ｂ図は飾りつけを行わない状態での断面図である。図１において、１は容器本体、２は中空部、３は切り餅、４は御幣、１０は裏蓋、１１は開口部、１３は当接フランジ部、３７は凸文字、４０は模擬動物、４１は貫通孔、４２は模擬動物の足、４３は模擬動物の足跡を示す。
【００５９】
容器本体１は、例えば、白色、又は乳白色を呈する合成樹脂により形成された中空状のもので構成する。この容器本体１は、内部が中空の中空部２となっていて、その中空部２内に、模擬動物４０、食用の切り餅３、御幣４等の飾り物からなる収納物を収納させるに足りる容積（大きさ）で、大小の供え餅を上下２段に重ねた鏡餅（２段重ね餅）の外形を呈するものであり、例えば、ブロー成形によって合成樹脂により形成されている。
【００６０】
容器本体１の底部には、該底部に着脱自在な裏蓋１０によって開閉される開口部１１を備え、上部に模擬動物４０の足４２を取り付けるための４つの貫通孔４１（容器本体１の固定手段）を備えている。そして、開口部１１は、容器本体１内に前記収納物を収納した状態で蓋１０によって閉塞され、円形、矩形等の所定形状で開口されている。また、模擬動物４０は、合成樹脂により容器本体１とは別に製作されている。
【００６１】
一方、蓋１０は、開口部１１の内周縁に嵌め入れられる偏平な有底状の蓋本体部分の開口縁に、開口部１１の外側面周縁部分に当接する鍔状の当接フランジ部１３を形成したもので、好ましくは蓋本体部分で開口部１１にやや強制的に嵌め入れられ、当接フランジ部１３を摘むことで、容器本体１から外すことができ、開放できるようにしてある。
【００６２】
すなわち、鏡餅の外形を呈し、合成樹脂製の中空な中空部を有する容器本体１の下側の餅に対応する部分の一部には、正月やお祝い事に関係する文字（この例では、十二支の猪を表す「亥」を表現した文字）として、容器本体１の外面から外側へ凸状に突出し、外側を容器本体１と異なる色に彩色し、かつ容器本体１と一体的に合成樹脂により形成した凸文字３７を備えている。
【００６３】
更に、容器本体１の上側に飾る飾り物として、十二支の動物の外形を呈し、合成樹脂製の模擬動物４０を備え、凸文字３７が、十二支の動物と同じ動物を表した文字（例えば、十二支の猪を表す「亥」を表現した文字）であり、容器本体１の外側に、十二支の動物が歩いた時の足跡（例えば、床から鏡餅の頂部まで歩いて登った時の足跡）の形状を呈する模様を容器本体１と一体的に合成樹脂により形成する。
【００６４】
そして、飾りつけを行わない場合は、模擬動物４０を容器本体１の中空部２に収納物として収納する。また、容器本体１の上側には、模擬動物４０を取り付けて飾るための貫通口４１が４つ設けてある。
【００６５】
飾りつけを行う場合には、容器本体１の裏蓋１０を開けて中空部２から収納物を取り出し、模擬動物４０や御幣４等を容器本体１の上側に飾る。この場合、模擬動物４０を容器本体１に設けた４つの貫通口４１（取付手段）に、模擬動物４０の４つの足４２を挿入して取り付ける。この時、御幣４は模擬動物４０と容器本体１の間に挟み込んで固定する。このようにして飾り付けを行い、模擬動物４０、御幣４、及び凸文字３７を正面側へ向ければ、豪華で高級感のある模擬飾り餅となる。
【００６６】
§３：例２の説明
図２は例２の説明図であり、Ａ図は飾りつけた状態を示した図、Ｂ図は御幣を省いて飾りつけた状態の斜視図である。以下、図２に基づいて例２を説明する。図２において、図１と同符号のものは同じものを示す。
【００６７】
この例２は、例１の模擬飾り餅において、模擬動物４０の代わりに、葉部３２を有する橙又は蜜柑等の飾り果実３５を容器本体１の上部に飾り、前記凸文字３７が、正月やお祝い事に関係する「寿」の文字であり、前記寿の文字の外側表面を赤又は金色に彩色してある例である。なお、この場合、御幣４は、飾り果実３５と容器本体１の間に挟み込んで飾ってある。
【００６８】
この例でも、容器本体１は内部が中空の中空部２となっていて、その中空部２内に、食用の切り餅３、御幣４等の飾り物からなる収納物を収納させる。なお、他の構成は例１と同じである。
【００６９】
§４：例３の説明
図３は例３の説明図である。以下、図３に基づいて例３を説明する。図３において、図１乃至図３と同符号のものは同じものを示す。
【００７０】
この例３は、例１の模擬飾り餅において、模擬動物４０の代わりに、葉部３２を有する橙又は蜜柑等の飾り果実３５を容器本体１の上部に飾り、前記凸文字３７が、正月やお祝い事に関係する「福」の文字であり、前記福の文字の外側表面を赤又は金色に彩色してある例である。なお、この場合、御幣４は、飾り果実３５と容器本体１の間に挟み込んで飾ってある。
【００７１】
この例でも、容器本体１は内部が中空の中空部２となっていて、その中空部２内に、食用の切り餅３、御幣４等の飾り物からなる収納物を収納させる。なお、他の構成は例１と同じである。
【００７２】
§５：例４の説明
図４は例４の説明図であり、Ａ図は容器本体を一方の向きに回して飾った図、Ｂ図は容器本体を他方の向きに回して飾った図である。以下、図４に基づいて例４を説明する。図４において、図１乃至図３と同符号のものは同じものを示す。
【００７３】
この例３は、例１の模擬飾り餅において、模擬動物４０の代わりに、葉部３２を有する橙又は蜜柑等の飾り果実３５を飾り、前記凸文字３７が、正月やお祝い事に関係する「福」の文字及び「寿」の文字であり、前記福の文字及び寿の文字の外側表面を赤又は金色に彩色してある例である。
【００７４】
また、容器本体１は、内部が中空の中空部２となっていて、その中空部２内に、食用の切り餅３、御幣４等の飾り物からなる収納物を収納する。なお、他の構成は例１と同じである。
【００７５】
すなわち、前記正月やお祝い事に関係する文字として、寿の文字と、福の文字の２つの異なる凸文字が、それぞれ容器本体１の異なる位置（例えば、水平面上で１８０°の角度だけ異なる位置）に形成されており、飾りつけを行う場合に、容器本体１をほぼ水平面上で回転（例えば、水平面上で１８０°回転）させて飾ることにより、前記異なる凸文字３７の何れか一方の凸文字３７のみ（寿、又は福のどちらか一方の凸文字のみ）が正面方向から見られるように構成した。従って、容器本体１の回転により任意の凸文字３７（寿、又は福のいずれか一方）を正面側にして飾りつけを行うことができる。
【００７６】
このようにすれば、販売する際の商品価値を高めることができる。また、容器本体１の外側面には彩色した寿の凸文字３７又は福の凸文字３７のどちらか一方の凸文字のみを正面から見えるように飾りつけを行うことで、高級感を出した状態で飾りつけができる。
【００７７】
§６：その他の説明
(1) ：前記例１乃至例４において、容器本体は鏡餅の色（例えば、乳白色、又は白色）に彩色され、前記模擬動物は、例えば、茶色又は金色等の任意の色に彩色されている。
【００７８】
(2) ：前記食用の切り餅は、丸餅等の他の形状でも実施可能である。
【００７９】
(3) ：前記飾り用果実３５は、容器本体１とは別に製作した合成樹脂製の模擬果実体（例えば、合成樹脂製の飾り用模擬蜜柑、飾り用模擬橙等）に変えても実施可能である。
【図面の簡単な説明】
【００８０】
【図１】実施の形態における例１の説明図であり、Ａ図は飾りつけをした状態を示す図、Ｂ図は飾りつけを行わない状態での断面図である。
【図２】実施の形態における例２の説明図であり、Ａ図は飾りつけた状態を示した図、Ｂ図は御幣を省いて飾りつけた状態の斜視図である。
【図３】実施の形態における例３の説明図である。
【図４】実施の形態における例４の説明図であり、Ａ図は容器本体を一方の向きに回して飾った図、Ｂ図は容器本体を他方の向きに回して飾った図である。
【符号の説明】
【００８１】
１  容器本体
２  中空部
３  切り餅
４  御幣
１０  裏蓋
１１  開口部
１３  当接フランジ部
３２  葉部
３５  飾り果実
３７  凸文字
４０  模擬動物
４１  貫通口
４２  模擬動物の足
４３  模擬動物の足跡
【図１】
2007314183.tif 000003
【図２】
2007314183.tif 000004
【図３】
2007314183.tif 000005
【図４】
2007314183.tif 000006